(57)【特許請求の範囲】
【請求項１】
可動弁（１０）と、電磁ソレノイド（２０）とを備え、前記電磁ソレノイドが前記可動弁を駆動することにより、流体の圧力を調整する電磁弁であって、
前記電磁ソレノイドは、
前記電磁ソレノイドの外部に対して電気的に接続される一対のターミナル（３２ａ，３２ｂ）と、
外周を絶縁被膜により被覆された巻線部（４３）と、前記絶縁被膜に対して導線が剥き出し状態で各前記ターミナルに接続された巻始め側の接続線部（４１）及び巻終わり側の接続線部（４５）と、外周を前記絶縁被膜により被覆され、前記巻線部と各前記接続線部との間をそれぞれ中継する巻始め側の中継線部（４２）及び巻終わり側の中継線部（４４）と、を有する被覆電線（４０）と、
前記巻線部が複数層に巻回された胴体部（５２）と、前記胴体部の胴体底面（５２ａ）から外周側に張り出して形成され、前記巻線部のずれを規制する鍔部（５４）と、を有するボビン（５０）と、
前記巻線部への通電により構成される磁気回路における磁気的結合を補助するリングコア（３０）と、を有し、
前記ボビンは、
前記鍔部を横切って前記鍔部にて内周側に凹むことで、前記巻始め側の中継線部を前記胴体部へ誘導する凹部であって、その凹底面（５６ａ）が前記胴体底面より外周側に位置する誘導凹部（５６）と、
前記鍔部と前記胴体部との間に軸方向（ＡＤ）と交差して延伸することで前記凹底面と前記胴体底面との間を接続し、前記誘導凹部からの前記巻始め側の中継線部を這わせることで前記巻線部の最内周層（４３ａ）に誘導する誘導延伸部（５８）と、
前記誘導延伸部のうち、前記誘導延伸部を這う前記中継線部よりも前記胴体部側から外周側に突出する突起（６０）と、
前記凹底面と連続するように、前記凹底面からみて前記胴体部とは前記軸方向の反対側において設けられ、前記巻始め側の中継線部及び前記巻終わり側の中継線部の両方を這わせた長溝部（６２）と、を有し、
前記リングコアは、前記ボビンのうち前記凹底面からみて前記胴体部とは前記軸方向の反対側の部分を外周側から囲む環状に形成されている電磁弁。
【請求項２】
可動弁（１０）と、電磁ソレノイド（２０）とを備え、前記電磁ソレノイドが前記可動弁を駆動することにより、流体の圧力を調整する電磁弁であって、
前記電磁ソレノイドは、
前記電磁ソレノイドの外部に対して電気的に接続されるターミナル（３２ａ）と、
外周を絶縁被膜により被覆された巻線部（４３）と、前記絶縁被膜に対して導線が剥き出し状態で前記ターミナルに接続された接続線部（４１）と、外周を前記絶縁被膜により被覆され、前記巻線部と前記接続線部との間を中継する中継線部（４２）と、を有する被覆電線（４０）と、
前記巻線部が複数層に巻回された胴体部（５２）と、前記胴体部の胴体底面（５２ａ）から外周側に張り出して形成され、前記巻線部のずれを規制する鍔部（５４）と、を有するボビン（５０）と、を有し、
前記ボビンは、
前記鍔部を横切って前記鍔部にて内周側に凹むことで、前記中継線部を前記胴体部へ誘導する凹部であって、その凹底面（５６ａ）が前記胴体底面より外周側に位置する誘導凹部（５６）と、
前記鍔部と前記胴体部との間に軸方向（ＡＤ）と交差して延伸することで前記凹底面と前記胴体底面との間を接続し、前記誘導凹部からの前記中継線部を這わせることで前記巻線部の最内周層（４３ａ）に誘導する誘導延伸部（５８）と、
前記誘導延伸部のうち、前記誘導延伸部を這う前記中継線部よりも前記胴体部側から外周側に突出する突起（６０）と、を有し、
前記突起は、前記凹底面から内周側の範囲内にて突出する電磁弁。
【請求項３】
可動弁（１０）と、電磁ソレノイド（２０）とを備え、前記電磁ソレノイドが前記可動弁を駆動することにより、流体の圧力を調整する電磁弁であって、
前記電磁ソレノイドは、
前記電磁ソレノイドの外部に対して電気的に接続されるターミナル（３２ａ）と、
外周を絶縁被膜により被覆された巻線部（４３）と、前記絶縁被膜に対して導線が剥き出し状態で前記ターミナルに接続された接続線部（４１）と、外周を前記絶縁被膜により被覆され、前記巻線部と前記接続線部との間を中継する中継線部（４２）と、を有する被覆電線（４０）と、
前記巻線部が複数層に巻回された胴体部（５２）と、前記胴体部の胴体底面（５２ａ）から外周側に張り出して形成され、前記巻線部のずれを規制する鍔部（５４）と、を有するボビン（５０）と、を有し、
前記ボビンは、
前記鍔部を横切って前記鍔部にて内周側に凹むことで、前記中継線部を前記胴体部へ誘導する凹部であって、その凹底面（５６ａ）が前記胴体底面より外周側に位置する誘導凹部（５６）と、
前記鍔部と前記胴体部との間に軸方向（ＡＤ）と交差して延伸することで前記凹底面と前記胴体底面との間を接続し、前記誘導凹部からの前記中継線部を這わせることで前記巻線部の最内周層（４３ａ）に誘導する誘導延伸部（５８）と、
前記誘導延伸部のうち、前記誘導延伸部を這う前記中継線部よりも前記胴体部側から外周側に突出する突起（６０）と、を有し、
前記誘導延伸部は、径方向（ＤＤ）と交差しつつ、外周側から内周側に傾斜するスロープ面（５８ａ）を有し、前記中継線部を前記スロープ面に沿って這わせており、
前記突起は、先端部において、前記スロープ面の傾斜に合わせて傾斜する傾斜稜線部（６０ａ）を有する電磁弁。
【請求項４】
前記誘導延伸部は、径方向（ＤＤ）と交差しつつ、外周側から内周側に傾斜するスロープ面（５８ａ）を有し、前記中継線部を前記スロープ面に沿って這わせている請求項１又は２に記載の電磁弁。
【請求項５】
前記突起は、先端部において、前記スロープ面の傾斜に合わせて傾斜する傾斜稜線部（６０ａ）を有する請求項４に記載の電磁弁。
【請求項６】
前記スロープ面の傾斜に対する法線方向（ＮＤ）において、前記スロープ面から前記突起の先端部までの寸法（ＬＮ）は、前記被覆電線の半径よりも大きい請求項３から５のいずれか１項に記載の電磁弁。
【請求項７】
前記巻線部は、内周側から奇数番目の奇数層（４３ｃ）と、偶数番目の偶数層（４３ｄ）とにおいて、互いに前記被覆電線の中心を軸方向に半径分ずらして巻回されており、
前記奇数層及び前記偶数層のうち一方は、前記鍔部と軸方向に当接する当接層を構成し、前記奇数層及び前記偶数層の他方のうち最も外周側の層は、最外周層（４３ｂ）を構成し、
前記突起は、前記当接層のうち最も外周側の層（４３ｆ）に軸方向に相対する請求項１から６のいずれか１項に記載の電磁弁。
【請求項８】
前記突起は、胴体部側に凸状に湾曲する湾曲面部（６０ｃ）を有する請求項１から７のいずれか１項に記載の電磁弁。
【発明の詳細な説明】
【技術分野】
【０００１】
本発明は、電磁ソレノイドが可動弁を駆動することにより、流体の圧力を調整する電磁弁に関する。
【背景技術】
【０００２】
従来、電磁ソレノイドが可動弁を駆動することにより、流体の圧力を調整する電磁弁が知られている。このような電磁弁に適用可能な、特許文献１に開示の電磁ソレノイドは、被覆電線と、ボビンを有している。被覆電線は、外周を絶縁被膜により被覆される巻線部を有している。ボビンは、胴体部と、鍔部と、を有する筒状に形成されている。胴体部には、巻線部が複数層に巻回されている。鍔部は、胴体部の胴体底面から外周側に張り出して形成され、巻線部のずれを規制する。
【０００３】
ここで、胴体部の鍔部に接する隅角部には、突条部が胴体部を一周するように一体的に設けられている。巻線部が突条部の始端部から終端部に沿って巻回される際、巻線部が突条部の基底部に圧接することにより、巻線部が密着状態に整列されるのである。
【先行技術文献】
【特許文献】
【０００４】
【特許文献１】特許５１６７０６０号公報
【発明の概要】
【発明が解決しようとする課題】
【０００５】
しかしながら、特許文献１のボビンでは、巻線部の最内周層と接続される中継線部において、ボビンの外周側から突条部に至る部分が巻線部と干渉し得る。例えば電磁弁に振動が加わることで干渉が繰り返され、被覆電線の絶縁被膜が損傷することが懸念されている。
【０００６】
本発明は、以上説明した問題に鑑みてなされたものであって、その目的は、被覆電線の絶縁被膜が損傷し難い電磁弁を提供することにある。
【課題を解決するための手段】
【０００７】
開示された発明のひとつは、可動弁（１０）と、電磁ソレノイド（２０）とを備え、電磁ソレノイドが可動弁を駆動することにより、流体の圧力を調整する電磁弁であって、
電磁ソレノイドは、
電磁ソレノイドの外部に対して電気的に接続される一対のターミナル（３２ａ，３２ｂ）と、
外周を絶縁被膜により被覆された巻線部（４３）と、絶縁被膜に対して導線が剥き出し状態で各ターミナルに接続された巻始め側の接続線部（４１）及び巻終わり側の接続線部（４５）と、外周を絶縁被膜により被覆され、巻線部と各接続線部との間をそれぞれ中継する巻始め側の中継線部（４２）及び巻終わり側の中継線部（４４）と、を有する被覆電線（４０）と、
巻線部が複数層に巻回された胴体部（５２）と、胴体部の胴体底面（５２ａ）から外周側に張り出して形成され、巻線部のずれを規制する鍔部（５４）と、を有するボビン（５０）と、
巻線部への通電により構成される磁気回路における磁気的結合を補助するリングコア（３０）と、を有し、
ボビンは、
鍔部を横切って鍔部にて内周側に凹むことで、巻始め側の中継線部を胴体部へ誘導する凹部であって、その凹底面（５６ａ）が胴体底面より外周側に位置する誘導凹部（５６）と、
鍔部と胴体部との間に軸方向（ＡＤ）と交差して延伸することで凹底面と胴体底面との間を接続し、誘導凹部からの巻始め側の中継線部を這わせることで巻線部の最内周層（４３ａ）に誘導する誘導延伸部（５８）と、
誘導延伸部のうち、誘導延伸部を這う中継線部よりも胴体部側から外周側に突出する突起（６０）と、
凹底面と連続するように、凹底面からみて胴体部とは軸方向の反対側において設けられ、巻始め側の中継線部及び巻終わり側の中継線部の両方を這わせた長溝部（６２）と、を有し、
リングコアは、ボビンのうち凹底面からみて胴体部とは軸方向の反対側の部分を外周側から囲む環状に形成されている。
また、開示された発明の他のひとつは、可動弁（１０）と、電磁ソレノイド（２０）とを備え、電磁ソレノイドが可動弁を駆動することにより、流体の圧力を調整する電磁弁であって、
電磁ソレノイドは、
電磁ソレノイドの外部に対して電気的に接続されるターミナル（３２ａ）と、
外周を絶縁被膜により被覆された巻線部（４３）と、絶縁被膜に対して導線が剥き出し状態でターミナルに接続された接続線部（４１）と、外周を絶縁被膜により被覆され、巻線部と接続線部との間を中継する中継線部（４２）と、を有する被覆電線（４０）と、
巻線部が複数層に巻回された胴体部（５２）と、胴体部の胴体底面（５２ａ）から外周側に張り出して形成され、巻線部のずれを規制する鍔部（５４）と、を有するボビン（５０）と、を有し、
ボビンは、
鍔部を横切って鍔部にて内周側に凹むことで、中継線部を胴体部へ誘導する凹部であって、その凹底面（５６ａ）が胴体底面より外周側に位置する誘導凹部（５６）と、
鍔部と胴体部との間に軸方向（ＡＤ）と交差して延伸することで凹底面と胴体底面との間を接続し、誘導凹部からの中継線部を這わせることで巻線部の最内周層（４３ａ）に誘導する誘導延伸部（５８）と、
誘導延伸部のうち、誘導延伸部を這う中継線部よりも胴体部側から外周側に突出する突起（６０）と、を有し、
突起は、凹底面から内周側の範囲内にて突出する。
また、開示された発明の他のひとつは、可動弁（１０）と、電磁ソレノイド（２０）とを備え、電磁ソレノイドが可動弁を駆動することにより、流体の圧力を調整する電磁弁であって、
電磁ソレノイドは、
電磁ソレノイドの外部に対して電気的に接続されるターミナル（３２ａ）と、
外周を絶縁被膜により被覆された巻線部（４３）と、絶縁被膜に対して導線が剥き出し状態でターミナルに接続された接続線部（４１）と、外周を絶縁被膜により被覆され、巻線部と接続線部との間を中継する中継線部（４２）と、を有する被覆電線（４０）と、
巻線部が複数層に巻回された胴体部（５２）と、胴体部の胴体底面（５２ａ）から外周側に張り出して形成され、巻線部のずれを規制する鍔部（５４）と、を有するボビン（５０）と、を有し、
ボビンは、
鍔部を横切って鍔部にて内周側に凹むことで、中継線部を胴体部へ誘導する凹部であって、その凹底面（５６ａ）が胴体底面より外周側に位置する誘導凹部（５６）と、
鍔部と胴体部との間に軸方向（ＡＤ）と交差して延伸することで凹底面と胴体底面との間を接続し、誘導凹部からの中継線部を這わせることで巻線部の最内周層（４３ａ）に誘導する誘導延伸部（５８）と、
誘導延伸部のうち、誘導延伸部を這う中継線部よりも胴体部側から外周側に突出する突起（６０）と、を有し、
誘導延伸部は、径方向（ＤＤ）と交差しつつ、外周側から内周側に傾斜するスロープ面（５８ａ）を有し、中継線部をスロープ面に沿って這わせており、
突起は、先端部において、スロープ面の傾斜に合わせて傾斜する傾斜稜線部（６０ａ）を有する。
【０００８】
このような発明によると、中継線部は、鍔部を横切って当該鍔部にて内周側に凹む誘導凹部により、胴体部へと誘導される。さらに中継線部は、鍔部と胴体部との間に軸方向に交差して延伸することで、誘導凹部の凹底面と、当該凹底面よりも内周側の胴体部の胴体底面とを接続する誘導延伸部に沿って這わされている。ここで、この誘導延伸部に這わされた中継線部よりも胴体部側箇所からは、外周側に突出する突起が設けられている。したがって、中継線部が誘導凹部から誘導延伸部を介して巻線部の最内周層に誘導されていても、誘導延伸部を這う中継線部が胴体部に複数層に巻回された巻線部に対して近づく方向のずれを抑制できる。これにより、中継線部が巻線部と干渉し難くなり、被覆電線の絶縁被膜が損傷することが抑制されるのである。
【０００９】
なお、括弧内の符号は、記載内容の理解を容易にすべく、後述する実施形態において対応する構成を例示するものに留まり、発明の内容を限定することを意図するものではない。
【図面の簡単な説明】
【００１０】
【図１】一実施形態における電磁弁の部分断面図である。
【図２】一実施形態におけるボビンを示す図である。
【図３】一実施形態におけるボビンと被覆電線を部分的に示す拡大斜視図である。
【図４】一実施形態における巻線部を説明するための模式図である。
【図５】図２のＶ方向にボビンを見た部分的な拡大図である。
【図６】一実施形態におけるボビンの突起周辺を部分的に示す拡大斜視図である。
【発明を実施するための形態】
【００１１】
以下、本発明の一実施形態を図面に基づいて説明する。
【００１２】
本発明の一実施形態による電磁弁１００は、車両に搭載され、例えば自動変速装置における油圧システムに用いられる。電磁弁１００は、図１に示すように、可動弁１０及び電磁ソレノイド２０を備え、電磁ソレノイド２０が可動弁１０を駆動することにより、流体としてのオイルの圧力を調整する。
【００１３】
可動弁１０は、スリーブ１２、スプール１４、スプリング１６、及び受栓１８を有するスプール弁である。
【００１４】
スリーブ１２は、例えばアルミ合金等の非磁性金属材料により、略円筒状に形成されている。スリーブ１２は、軸方向ＡＤに貫通する挿通穴１２ａ、及び当該挿通穴１２ａからスリーブ１２の外壁を径方向ＤＤに貫通する複数のオイルポート１２ｂを有している。オイルポート１２ｂとしては、入口ポート、出口ポート、排出ポート及び呼吸ポートが設けられている。
【００１５】
スプール１４は、スリーブ１２の挿通穴１２ａ内に摺動可能に収容される。スプール１４は、複数のオイルポート１２ｂを区画するランド１４ａ、及びランド１４ａ間において小径部１４ｂを有している。スプール１４は、スリーブ１２に対する軸方向ＡＤの相対位置に応じて、オイルポート１２ｂの開口位置を変化させる。このような開口位置の変化により、オイルポート１２ｂの連通状態と遮断状態とが切替可能となっている。
【００１６】
スプリング１６は、スプール１４の電磁ソレノイド２０とは反対側の端部と、受栓１８との間に配置されている圧縮コイルスプリングである。ここで受栓１８は、スリーブ１２の電磁ソレノイド２０とは反対側端部に配置されている。こうしてスプリング１６は、スプール１４を軸方向ＡＤの電磁ソレノイド２０側に付勢可能となっている。
【００１７】
電磁ソレノイド２０は、ステータコア２２、プランジャ２４、シャフト２６、ヨーク２８、リングコア３０、一対のターミナル３２ａ，３２ｂ、被覆電線４０、及びボビン５０を有している。
【００１８】
ステータコア２２は、例えば鉄等の磁性体金属材料により、全体としては略円柱状に形成されている。ステータコア２２は、磁気吸引コア２２ａ、磁気遮断部２２ｂ、及び案内コア２２ｃを一体的に有している。
【００１９】
プランジャ２４は、例えば鉄等の磁性体金属材料により、略円柱状に形成されている。プランジャ２４は、案内コア２２ｃの内周部にて軸方向ＡＤに往復移動可能に配置されている。また、プランジャ２４は、軸方向ＡＤに貫通する呼吸孔２４ａを有している。
【００２０】
シャフト２６は、磁気吸引コア２２ａの内周部にて軸方向ＡＤに摺動可能に支持されると共に、スプール１４とプランジャ２４との間に配置されている。スプリング１６がスプール１４を電磁ソレノイド２０側に付勢していることにより、シャフト２６のスプール１４側の端部はスプール１４と当接し、プランジャ２４側の端部はプランジャ２４と当接している。
【００２１】
ヨーク２８は、例えば鉄等の磁性体金属材料により、略有底筒状に形成されている。ヨーク２８は、ステータコア２２、リングコア３０、及びボビン５０等を収容している。ヨーク２８は、ステータコア２２とスリーブ１２とを固定している。こうしてヨーク２８とステータコア２２とは、磁気的に結合されている。
【００２２】
リングコア３０は、例えば鉄等の磁性体金属材料により、環状に形成されている。リングコア３０は、プランジャ２４を囲んでいるステータコア２２をさらに外周側から囲んで配置されつつ、ヨーク２８の底部と当接する。これによりリングコア３０は、ヨーク２８とステータコア２２との磁気的結合を補助している。
【００２３】
ターミナル３２ａ，ｂは、導体材料により一対設けられている。ターミナル３２ａ，ｂは、可動弁１０とはボビン５０を挟んで反対側端に突出して設けられたコネクタ部３４にてその一部を露出している。ターミナル３２ａ，ｂは、電磁ソレノイド２０の外部の電源を含む制御装置と電気的に接続されるようになっている。
【００２４】
被覆電線４０は、巻線部４３、一対の接続線部４１，４５、及び一対の中継線部４２，４４を一体的に有する断面円形状の電線である。被覆電線４０のうち巻線部４３及び一対の中継線部４２，４４は、導線の外周を絶縁被膜により被覆されて形成されている。一対の接続線部４１，４５は、被覆電線４０の各端部を構成し、絶縁被膜に対して導線が剥き出し状態となった後、例えば合成樹脂によりポッティングされている。本実施形態の導線は、銅により形成されている。
【００２５】
巻線部４３は、後述の胴体部５２に複数層に巻回される。一対の接続線部４１，４５のうち、一方の接続線部４１は一方のターミナル３２ａに電気的に接続され、他方の接続線部４５は、他方のターミナル３２ｂに電気的に接続されている。
【００２６】
また、一対の中継線部４２，４４のうち、一方の中継線部４２は、一方の接続線部４１と、巻線部４３のうち最内周層４３ａとなる側との間を中継している。他方の中継線部４４は、他方の接続線部４５と、巻線部４３のうち最外周層４３ｂとなる側との間を中継している。
【００２７】
このような被覆電線４０は、例えば、巻線機のノズルの先端穴から蜘蛛の糸の如く吐出されることにより供給され、ボビン５０に対するノズルの位置の操作によって配線される。本実施形態では、一方の接続線部４１及び中継線部４２が巻始め側となっており、他方の中継線部４４及び接続線部４５が巻き終わり側となっている。
【００２８】
ボビン５０は、図２〜６に示すように、例えば合成樹脂により、ステータコア２２を外周側から囲む略円筒状に形成されている。ボビン５０は、胴体部５２、一対の鍔部５４，５５、誘導凹部５６、誘導延伸部５８、及び突起６０を有している。
【００２９】
胴体部５２は、円筒状に形成され、その外周側表面に、円筒面状の胴体底面５２ａを全周に亘って有している。胴体部５２には、巻線部４３が複数層に巻回されている。図４に詳細を示すように、本実施形態では、巻線部４３は、例えば１０層に巻回されている。より詳細には、巻線部４３は、内周側から奇数番目の奇数層４３ｃと、偶数番目の偶数層４３ｄとにおいて、被覆電線４０の中心を軸方向ＡＤに実質半径分ずらして巻回されている。したがって、同じ層の被覆電線４０間に形成される谷部に、外周側の層の被覆電線４０が嵌った状態となっている。
【００３０】
鍔部５４，５５は、図２に示すように、胴体部５２に対して軸方向ＡＤ両側に隣接して一対設けられている。各鍔部５４，５５は、全周に亘って、胴体部５２の胴体底面５２ａから外周側に張り出した円環状に形成されている。各鍔部５４，５５において胴体部５２側を向き、軸方向ＡＤと実質垂直に延伸する規制壁５４ａ，５５ａが巻線部４３と当接することにより、当該巻線部４３の軸方向ＡＤのずれが規制されている。
【００３１】
図４に示すように、ここで本実施形態では、巻線部４３の奇数層４３ｃが鍔部５４の規制壁５４ａと軸方向ＡＤに当接する当接層を構成している。一方、当接層である奇数層４３ｃと被覆電線４０の中心が実質半径分ずれている偶数層４３ｄは、規制壁５４ａとの間に、被覆電線４０の半径分の隙間を形成している。そして、１０層に巻回されていることにより、偶数層４３ｄのうち最も外周側の層が、巻線部の最外周層４３ｂを構成している。
【００３２】
誘導凹部５６は、図２，３，５，６に示すように、一対の鍔部５４，５５のうちコネクタ部３４側（すなわち、ターミナル３２ａ，ｂ側）の鍔部５４に対応して設けられている凹部である。誘導凹部５６は、鍔部５４を軸方向ＡＤに横切って、当該鍔部５４の最外周部の一部分から内周側に凹んで形成されている。ここで、誘導凹部５６において底面をなす凹底面５６ａは、胴体部５２の胴体底面５２ａよりも外周側に位置している。さらに凹底面５６ａは、胴体部５２とは反対側において、軸方向ＡＤに沿って設けられた長溝部６２の長溝底面６２ａと同じ高低差にて連続している。
【００３３】
特に図３に示すように、ターミナル３２ａと接続された接続線部４１を巻線部４３まで中継する中継線部４２は、誘導凹部５６よりもターミナル３２ａ側の長溝底面６２ａに沿って這わされていると共に、誘導凹部５６を挿通されている。こうして、誘導凹部５６は、ターミナル３２ａ側からの中継線部４２を胴体部５２側へ誘導している。他方、誘導凹部５６は、巻線部４３の最外周層４３ｂからの中継線部４４を挿通させることで、ターミナル３２ｂ側へ誘導している。
【００３４】
誘導延伸部５８は、コネクタ部３４側の鍔部５４と胴体部５２との間において、周方向の一部分に設けられている。誘導延伸部５８は、軸方向ＡＤとは交差した延伸方向ＥＤに延伸することで、誘導凹部５６の凹底面５６ａと胴体部５２の胴体底面５２ａとの間を接続している。具体的に、誘導延伸部５８は、軸方向ＡＤと交差して延伸するスロープ面５８ａを有している。スロープ面５８ａは、径方向ＤＤと交差しつつ、外周側から内周側に傾斜する平面状を呈することで、径方向ＤＤに高低差のある凹底面５６ａと胴体底面５２ａとを接続している。スロープ面５８ａの鍔部５４側では、当該鍔部５４がスロープ面５８ａよりも外周側に張り出すことで、立壁５４ｂが形成されている。スロープ面５８ａの胴体部５２側では、スロープ面５８ａよりも内周側に規制壁５４ａが接続されている。立壁５４ｂは、スロープ面５８ａが延伸方向ＥＤの胴体底面５２ａ側へ向かう程、胴体部５２側に傾斜することで、スロープ面５８ａを軸方向ＡＤに縮幅させている。
【００３５】
特に図３に示すように、こうして誘導延伸部５８は、誘導凹部５６からの中継線部４２を、スロープ面５８ａに沿って這わせていることで巻線部４３の最内周層４３ａに誘導している。具体的に、軸方向ＡＤに誘導凹部５６を挿通された中継線部４２は、誘導延伸部５８の延伸方向ＥＤに沿って向きを変えつつ、スロープ面５８ａのうち鍔部５４側において、立壁５４ｂ伝いに這わされている。こうして中継線部４２は、凹底面５６ａよりも内周側の胴体底面５２ａと接する巻線部４３の最内周層４３ａに誘導されているのである。
【００３６】
こうした接続線部４１，４５及び中継線部４２，４４を介した巻線部４３への通電により、ステータコア２２、ヨーク２８、及びプランジャ２４を通過する磁気回路が構成される。具体的に、ステータコア２２の磁気吸引コア２２ａにプランジャ２４が吸引される。プランジャ２４の吸引により、シャフト２６を介してスプール１４が受栓１８側に駆動される。
【００３７】
突起６０は、誘導延伸部５８のうち、中継線部４２よりも胴体部５２側から外周側に突出して形成されている。より詳細に、突起６０は、スロープ面５８ａの延伸方向ＥＤ中間地点よりも凹底面５６ａ側箇所から突出している。突起６０は、傾斜稜線部６０ａ、縮幅部６０ｂ、及び湾曲面部６０ｃを有している。
【００３８】
傾斜稜線部６０ａは、突起６０の先端部において形成されている。具体的に、図５に示すように、傾斜稜線部６０ａは、スロープ面５８ａの傾斜に合わせて傾斜する稜線状を呈している。スロープ面５８ａの傾斜に対する法線方向ＮＤにおいて、当該スロープ面５８ａから突起６０の先端部までの寸法ＬＮ、すなわち当該スロープ面５８ａから傾斜稜線部６０ａまでの寸法ＬＮは、被覆電線４０の半径よりも大きく設定されている。これと共に、当該寸法ＬＮは、被覆電線４０の直径よりも小さく設定されている。また、傾斜稜線部６０ａにおいて凹底面５６ａ側の一端は、凹底面５６ａから内周側に位置している。
【００３９】
これにより、突起６０は、凹底面５６ａから内周側の範囲内にて突出している。そして、図３に示すように、突起６０は、当接層としての奇数層４３ｃのうち最も外周側の層４３ｆに軸方向ＡＤに相対している。換言すると、突起６０と、奇数層４３ｃのうち最も外周側の層４３ｆとは、胴体底面５２ａからの高低差を合わせて配置されている。
【００４０】
縮幅部６０ｂは、図６に示すように、突起６０のうち延伸方向ＥＤの胴体底面５２ａ側に設けられ、上述のスロープ面５８ａの縮幅に応じて、胴体底面５２ａ側へ向かう程、軸方向ＡＤに縮幅している。このような縮幅部６０ｂにより突起６０は、外周側から内周側に俯瞰すると、略三角形状となっている。また、湾曲面部６０ｃは、突起６０のうち軸方向ＡＤの胴体部５２側に設けられ、胴体部５２側に凸状に湾曲している。
【００４１】
（作用効果）
以上説明した本実施形態の作用効果を以下に説明する。
【００４２】
本実施形態によると、中継線部４２は、鍔部５４を貫通して当該鍔部５４にて内周側に凹む誘導凹部５６により、胴体部５２へと誘導される。さらに中継線部４２は、鍔部５４と胴体部５２との間に軸方向ＡＤに交差して延伸することで、誘導凹部５６の凹底面５６ａと、当該凹底面５６ａよりも内周側の胴体部５２の胴体底面５２ａとを接続する誘導延伸部５８に沿って這わされている。ここで、この誘導延伸部５８に這わされた中継線部４２よりも胴体部５２側箇所からは、外周側に突出する突起６０が設けられている。したがって、中継線部４２が誘導凹部５６から誘導延伸部５８を介して巻線部４３の最内周層４３ａに誘導されていても、誘導延伸部５８を這う中継線部４２が胴体部５２に複数層に巻回された巻線部４３に対して近づく方向のずれを抑制できる。これにより、中継線部４２が巻線部４３と干渉し難くなり、被覆電線４０の絶縁被膜が損傷することが抑制されるのである。
【００４３】
また、本実施形態によると、突起６０は、凹底面５６ａから内周側の範囲内にて突出する。このようにすることで、凹底面５６ａに対して突起６０が外周側に突出しないので、誘導凹部５６及び誘導延伸部５８に中継線部４２を配置する際に、中継線部４２の突起６０への接触を抑制することができる。したがって、中継線部４２の配置が容易になると共に、中継線部４２における絶縁被膜の損傷を抑制することができる。
【００４４】
また、本実施形態によると、突起６０は、鍔部５４と軸方向ＡＤに当接する当接層のうち最も外周側の層４３ｆに軸方向ＡＤに相対する。このような配置により、当接層のうち最も外周側の層４３ｆが突起６０よりも中継線部４２側にずれ難くなるため、中継線部４２と巻線部４３との干渉が抑制される。さらに、この層４３ｆよりも外周側において、被覆電線４０の中心を軸方向ＡＤに半径分ずらした最外周層４３ｂを構成しても、誘導凹部５６及び誘導延伸部５８に中継線部４２を配置する際に、中継線部４２の突起６０への接触を抑制することができる。したがって、中継線部４２の配置が容易になると共に、中継線部４２における絶縁被膜の損傷を抑制することができる。
【００４５】
また、本実施形態によると、誘導延伸部５８は、径方向ＤＤと交差しつつ、外周側から内周側に傾斜するスロープ面５８ａを有している。このようなスロープ面５８ａに這わされた中継線部４２は、当該スロープ面５８ａに接触することで安定する。こうして、中継線部４２のずれを抑制した配置にて当該中継線部４２を巻線部４３の最内周層４３ａに誘導することができる。
【００４６】
また、本実施形態によると、スロープ面５８ａから突起６０の先端部までの寸法ＬＮは、被覆電線４０の半径よりも大きい。このようにすることで、スロープ面５８ａに沿って這わされた中継線部４２の中心が突起６０の先端部よりも内周側に配置可能となるので、中継線部４２が突起６０よりも胴体部５２側にずれ難くなる。こうして、中継線部４２が巻線部４３と干渉し難くなり、被覆電線４０の絶縁被膜が損傷することが抑制される。
【００４７】
また、本実施形態によると、突起６０は、スロープ面５８ａの傾斜に合わせて傾斜する傾斜稜線部６０ａを有する。このような傾斜により、中継線部４２のスロープ面５８ａに沿った配置を容易にしつつ、スロープ面５８ａを這う中継線部４２と、巻線部４３とを隔てることができる。
【００４８】
また、本実施形態によると、突起６０は、胴体部５２側に凸状に湾曲する湾曲面部６０ｃを有する。このような湾曲により、巻線部４３と突起６０とが接触しても、巻線部４３における絶縁被膜の損傷を抑制することができる。
【００４９】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００５０】
具体的に変形例１としては、奇数層４３ｃ及び偶数層４３ｄのうち偶数層４３ｄが鍔部５４と軸方向ＡＤに当接する当接層を構成し、奇数層４３ｃのうち最も外周側の層は、最外周層４３ｂを構成するようにしてもよい。
【００５１】
変形例２としては、突起６０は、当接層のうち最も外周側の層４３ｆよりも外周側に突出していてもよい。
【００５２】
変形例３としては、突起６０は、凹底面５６ａよりも外周側に突出していてもよい。
【００５３】
変形例４としては、ターミナル３２ａ，ｂの一部が露出するコネクタ部３４は、他の位置、例えばヨーク２８よりも外周側に設けられてもよい。
【００５４】
変形例５としては、コネクタ部３４の位置に合わせて、例えば可動弁１０に近い方の鍔部５５側に、誘導凹部５６、誘導延伸部５８、及び突起６０が設けられてもよい。
【００５５】
変形例６としては、スロープ面５８ａは、曲面状に設けられていてもよい。
【００５６】
変形例７としては、本発明は、例えば燃料等のオイル以外の流体の圧力を調整する電磁弁に適用可能である。
【符号の説明】
【００５７】
１００  電磁弁、１０  可動弁、２０  電磁ソレノイド、３２ａ  ターミナル、４０  被覆電線、４１  接続線部、４２  中継線部、４３  巻線部、４３ａ  最内周層、４３ｂ  最外周層、４３ｃ  奇数層、４３ｄ  偶数層、４３ｆ  当接層のうち最も外周側の層、５０  ボビン、５２  胴体部、５２ａ  胴体底面、５４  鍔部、５６  誘導凹部、５６ａ  凹底面、５８  誘導延伸部、５８ａ  スロープ面、６０  突起、６０ａ  傾斜稜線部、６０ｃ  湾曲面部、ＡＤ  軸方向、ＤＤ  径方向、ＮＤ  法線方向、ＬＮ  寸法
【図１】
0006668726.tif 000002
【図２】
0006668726.tif 000003
【図３】
0006668726.tif 000004
【図４】
0006668726.tif 000005
【図５】
0006668726.tif 000006
【図６】
0006668726.tif 000007